(57)【要約】【課題】  従来の納骨容器は、墓地に埋葬する為だけのものや、遺影（写真）や名前・命日等が刻印されているプレートがついているものがあるが、容易に写真やプレートが取り出せたり、落下時に破損して遺骨が飛散してしまう可能性がある。しかも安置する為だけに作られているので、ポケットやハンドバックには入らない。【解決手段】  遺骨を粉砕し、ガラスビーズと混ぜる事で滞りなく流れ落ちる砂時計の機能を持たせ、さらに耐光性写真・名前入りのプレート・飾りを光学的に透明な樹脂でコンパクトに封入する事によって、見た目にも美しく、半永久的に割れる事のない納骨容器が実現する。【選択図】図１
2005192970.tif 000002
【特許請求の範囲】
【請求項１】
故人の遺骨を粉砕し、ガラスビーズと混ぜる事で滞りなく流れ落ちる砂時計の機能を持たせ、耐光性写真・名前入りのプレート・飾りを配し、光学的に透明な樹脂を封入して半永久的に割れない処理を施した砂時計型納骨容器。
【請求項２】
ペットの遺骨を粉砕し、ガラスビーズと混ぜる事で滞りなく流れ落ちる砂時計の機能を持たせ、耐光性写真・名前入りのプレート・飾りを配し、光学的に透明な樹脂を封入して半永久的に割れない処理を施した砂時計型納骨容器。
【請求項３】
故人やペットの遺骨を粉砕し、ガラスビーズと混ぜる事で滞りなく流れ落ちる砂時計の機能を持たせ、耐光性写真・名前入りのプレート・飾りを配し、光学的に透明な樹脂を封入して半永久的に割れない処理を施した砂時計型納骨容器の製造方法。
【発明の詳細な説明】
【技術分野】
【０００１】  本発明は、砂時計の癒しの付加価値を備えた納骨容器である。
【技術背景】
【０００２】  従来の納骨容器（骨壷）は、陶器製で丸型、白色のいかにも死や悲しみをイメージさせます。最終的にお寺や墓地に納骨されますので、いつもそばに置く人はほとんどいないのが現状です。昔からお骨は土に還すという風習がありますが、最近では残しておきたいと考える方も増えてきてます。特に愛玩動物では、常にそばに置いておきたいと望まれる方が大勢いるのではないだろうか。例えば霊園に納骨するにしても、費用やお参りにかかる時間の面で常に身近にという理想を実現とするには難しい状況が多々見られる。従来技術として特許開２００２−２８０６９号の様に、写真と刻印プレートが付いた省スペース型の納骨霊牌や登録実用新案第３０５２３８７号の様に、遺骨を粉砕して砂時計にする方法が開示されている。
【発明の開示】
【発明が解決しようとする課題】
【０００３】  上記に述べた従来の技術では、特許開２００２−２８０６９号については落下して遺骨と写真、刻印プレートが破損したり、コンパクトといってもポケットに入るほどは小さくはない。遺骨を確認する為開封すれば湿度による経年変化は防ぐ事はできない。登録実用新案第３０５２３８７号については、遺骨を粉砕しただけの砂時計では粒子がまばらな為、うまく下に流れ落ちない。粒を揃えたとしても摩擦により粒子がパウダー状になり砂時計としては完全に機能しなくなる。写真や刻印プレートがないので誰の物かもわからないし、当然落とせばガラスが割れて遺骨は飛散してしまうという危険性がある。【０００４】  本発明は上記の問題をすべて解決させ、安置するだけのものから持ち歩けるものへ、静から動きを与え、目で見て心が癒され、いつも身近に感じる事ができる砂時計型納骨容器を提供しようとするものである。
【課題を解決するための手段】
【０００５】  故人やペットの遺骨を粉砕し、ガラスビーズと混ぜる事で滞りなく流れ落ちる砂時計の機能を持たせ、さらに耐光性写真・名前入りのプレート・飾りを配し、光学的に透明な樹脂で封入して半永久的に割れない様にした砂時計型納骨容器とその製造方法。
【発明の効果】
【０００６】  遺骨を砂時計の中に入れる事により、ただ安置するだけの納骨容器からいつも目に触れる場所へ置く事ができ、故人や亡きペットをいつでも身近に感じる事ができる。遺骨がさらさらと流れるのを眺めながら、故人や亡きペットを偲んだり、その物自体が動きを生ずる事で癒しを得る事が可能となる。霊園や墓地に足を運ばなくても、故人や亡きペットにお参りする事が可能、又ポケットに入る程度のコンパクトサイズなのでどこへでも気軽に連れて行く事が可能。遺骨を湿度から守り、落としても壊れない丈夫な筐体は、ガラス製砂時計の透明感を損なわない様、透明な樹脂にて封入されているので、どのインテリアにも同化する。
【発明を実施するための最良の形態】
【０００７】  以下に、この発明の実施の形態を図面と共に説明する。【０００８】  構造は図１の通り、ガラス製砂時計１の中に遺骨を粉砕しガラスビーズを混合したもの６を入れ、砂時計１のまわりに装飾品５を取り付け、耐光性写真２と名前・命日等を刻印した金属プレート３を上下に配し、光学的に透明な樹脂４によって充填したのが主な特徴となる。【０００９】  製作方法としては、図３のガラス管１ａ（例えば直径１５ｍｍ×長さ１５０ｍｍ）を回転させながら中央部分をガスバーナー７で炙る。バーナーの温度は１２００度前後。融けだしたら図４の要領で金属製のローラー８を押し当てながらさらに加熱し、砂が通過するロート（くびれ）部分９を加工する。最終的にはロート（くびれ）部分の穴は市販の砂時計より大きめ（１．２ミリ〜１．８ミリ程度）にまで絞る。【００１０】  図５と図６では上記の通り加工したもの１ｂを一旦常温に冷まして、回転を加えながら片側端をバーナーにて炙り１１の状態まで熔かし、矢印方向７へ引っ張る。継続して加熱をし先端を封じる。その際、切端の形状を揃える為、反対側端にゴム栓１０をしておく。こうする事で両端の形を揃える事が出来る。【００１１】  遺骨は、臼又は、ミルマシーンで固体から顆粒状に粉砕し、ふるいを掛けて粒子を整える（０．３ミリ程度。）その後、ガラスビーズ（１００〜２００ミクロン程度の大きさ）を混ぜ合わせ、湿気を取る為１００℃前後で加熱処理をする。砂時計の砂として機能する為には、混合比率はガラスビーズを１０ｇとすると遺骨は４ｇぐらいが適当である。それ以上遺骨の配分を増やすとロート部分に詰まる場合があるので、配分はそれ以下にする。もしくは９のサイズを大きくして配分を変更する、ただこの場合は砂が落ちる時間が極端に短くなる。【００１２】  加工したガラス管の中に上記で混ぜた遺骨６を入れ、上下にひっくり返し砂の引っ掛かりがないかをチェックする。当然ロート部分に詰まったのもがあれば、細かく砕くか取り除く。【００１３】  図７で遺骨６を入れたら開口部を回転させながらガスバーナーにて炙り、図８の通り熔かしながら矢印方向に引っ張って切り取り、先端部を封じる。この様な処理を両端にする事によって、外気から完全に遮断させる。【００１４】  図９と図１０の要領で刻印を施した金属板３と耐光性写真２を型枠１５に入れ樹脂を流し込む。その際どちらか一方に上記要領にて製作した砂時計１をスタンド１３を使って樹脂が硬化するまでキャップ１４を先端にはめ込み固定しておく。２と３の順序は問わない。【００１５】  図１１では樹脂が硬化した後、それぞれ型枠１５から取り出した成型品１６・１７。成型品１６と接着した砂時計１のくびれ部分に装飾物５を付ける。図１２では型枠１８の内部に成型品１６を入れ樹脂を流し込む。真空装置にて気泡を抜き、先に製作した成型品１７をかぶせる。型枠１８には成型品１７をかぶせた時にあふれた樹脂を逃がす穴１９を一箇所つけておく。【００１６】  図１２の通り、樹脂が硬化したら脱型（図の矢印）しバリを取り磨き仕上げます。
【図面の簡単な説明】
【００１７】
【図１】本体断面図と各部位
【図２】本体上下外観図
【図３】ガラス管加工要領１
【図４】ガラス管加工要領２
【図５】ガラス管片封じ要領１
【図６】ガラス管片封じ要領２
【図７】ガラス管全封じ要領１
【図８】ガラス管全封じ要領２
【図９】樹脂成型一段階準備
【図１０】樹脂成型一段階実践
【図１１】樹脂成型二段階準備
【図１２】樹脂成型二段階実践および完成図
【図１】
2005192970.tif 000003
【図２】
2005192970.tif 000004
【図３】
2005192970.tif 000005
【図４】
2005192970.tif 000006
【図５】
2005192970.tif 000007
【図６】
2005192970.tif 000008
【図７】
2005192970.tif 000009
【図８】
2005192970.tif 000010
【図９】
2005192970.tif 000011
【図１０】
2005192970.tif 000012
【図１１】
2005192970.tif 000013
【図１２】
2005192970.tif 000014